(57)【特許請求の範囲】
【請求項１】
文字表示可能な表示手段と、
第１の情報をユーザに提供している間に、提供可能な他の複数の情報からランダム又は一定の順番で第２の情報を抽出して当該第２の情報の内容を示す文字列を前記表示手段に表示し、当該表示された第２の情報であって前記ユーザにより選択された第２の情報の内容を示す文字列を記憶させる処理を繰り返す制御手段と
を有することを特徴とするオーディオ装置。
【請求項２】
前記制御手段は、一定の時間ごとに、前記処理を繰り返すことを特徴とする請求項１記載のオーディオ装置。
【請求項３】
前記制御手段は、前記ユーザへの第１の情報の提供が終了した後に、前記ユーザの選択により記憶された第２の情報を前記第１の情報としてユーザに提供することを特徴とする請求項１記載のオーディオ装置。
【請求項４】
前記制御手段は、前記第２の情報を選択せずに前記ユーザへの第１の情報の提供が終了した場合に、或いは、前記ユーザの選択により記憶された第２の情報の提供が全て終了した場合に、前記提供可能な他の複数の情報を順に前記第１の情報として前記ユーザに提供することを特徴とする請求項１乃至３のいずれか一に記載のオーディオ装置。
【請求項５】
車載用オーディオ装置において、
文字表示可能な表示手段と、
車両の速度を検出する車速検出手段と、
第１の情報をユーザに提供している間に、提供可能な他の複数の情報からランダム又は一定の順番で第２の情報を抽出し当該第２の情報の内容を示す文字列を前記表示手段に表示する処理を繰り返す制御手段とを有し、
前記制御手段は、前記車両の走行中に、前記車速検出手段による車速検出結果に応じて一つの前記第２の情報あたりの表示時間を変化させることを特徴とするオーディオ装置。
【請求項６】
前記提供可能な情報が、記録媒体に記録された楽曲であることを特徴とする請求項１又は５に記載のオーディオ装置。
【請求項７】
前記提供可能な情報が、放送の番組であることを特徴とする請求項１又は５に記載のオーディオ装置。
【請求項８】
第１の情報をユーザに提供している間に、提供可能な他の複数の情報からランダム又は一定の順番で第２の情報を抽出し当該第２の情報の内容を示す文字列を前記表示手段に表示する処理を繰り返し、
前記ユーザの操作に応じて当該第２の情報を前記第１の情報として前記ユーザに提供することを特徴とするオーディオ装置の情報選択方法。
【発明の詳細な説明】
【０００１】
【発明の属する技術分野】
本発明は、１つの情報（例えば、楽曲及び番組など）を提供している間に他の提供可能な情報の内容を示す文字列を表示することによって情報を有効に活用できるようにしたオーディオ装置及び情報選択方法に関する。
【０００２】
【従来の技術】
ＭＰ３（MPEG1 Audio Layer3）やＡＡＣ(Advanced Audio Coding) 等の圧縮技術を使用すると、１枚のＣＤ−Ｒ（Compact Disc-Recordable ）に１００曲又はそれ以上の極めて多くの楽曲を記録することができる。また、これらの圧縮技術を使用してＣＤ−Ｒに記録された楽曲を再生するオーディオ装置も開発されている。
【０００３】
一般的に、この種のＣＤ−Ｒを再生するオーディオ装置では記録された順番で楽曲を再生するようになっている。すなわち、それぞれの楽曲はファイル名とタイムスタンプ（記録日時）とにより管理されるが、ＣＤ−Ｒ再生装置ではタイムスタンプを調べて、古いものから順に番号（以下、曲番号という）を付与し、１番目の楽曲から順に再生する。ＣＤ−Ｒ再生装置の操作パネルにはアップ／ダウンキーが設けられており、このアップ／ダウンキーを操作することによって、所望の曲番号の楽曲から再生を開始することもできる。
【０００４】
また、最近開始されつつある衛星デジタルラジオ（以下、ＳＤＡＲＳという）では、極めて多くのチャンネルが用意される。ユーザは、デジタル放送受信機の操作パネルに設けられたアップ／ダウンキーを操作して、これらの多数のチャンネルから所望のチャンネルを選択する。
【０００５】
【発明が解決しようとする課題】
しかしながら、ＣＤ−Ｒ再生装置やＳＤＡＲＳでは、利用可能な情報の数が極めて多いのでユーザにとって有用な情報が多く含まれている可能が高いという利点を有している反面、有用な情報を利用する機会を逸してしまうことがあるという問題点がある。
【０００６】
例えば、ＭＰ３等の圧縮技術を使用すると１枚のＣＤ−Ｒ（ディスク）に多数の楽曲を記録することができるが、何番目にどの楽曲が記録されているのかをユーザ自身が全て把握することは困難である。アップ／ダウンキーで１曲づつ曲名（又はファイル名）を確認しながら所望の楽曲を探していくことが可能ではあるが、ディスクに記録されている楽曲数が多い場合は操作が煩雑になる。特に車載用オーディオ装置の場合は、アップ／ダウンキーで１曲づつ曲名を確認するのでは操作に長時間かかり、安全性の面でも問題になる。
【０００７】
ユーザ自身がいくつかの好みの楽曲の曲番号を覚えておき、テンキーによって曲番号を直接入力する方法もあるが、そうすると聴く楽曲が固定化され、その他にどのような楽曲が収録されているのかわからなくなって、他の楽曲を聴く機会がなくなってしまう。
また、ＳＤＡＲＳの場合も、全てのチャンネルの番組をユーザ自身が把握しておくことは不可能であり、１つの放送を聴取していると他の放送局でどのような番組が放送されているのかわからない。このため、他の放送局で好みの番組を放送していても聴き逃してしまうことがある。
【０００８】
以上から、本発明の目的は、有用な情報を利用する機会を逸してしまうことを回避できるオーディオ装置及び情報選択方法を提供することである。
【０００９】
【課題を解決するための手段】
本発明においては、第１の情報をユーザに提供している間に、提供可能な他の複数の情報から１つの情報をランダムに又は一定の順番で抽出し、その第２の情報の内容を示す文字列を表示手段に表示し、当該表示された第２の情報であってユーザにより選択された第２の情報の内容を示す文字列を記憶させるという、処理を繰り返す。
【００１０】
例えば、記録媒体に収録されている多数の楽曲から選択された１つの楽曲を再生している間に、記録媒体に収録されている他の楽曲の曲名を一定の時間間隔で次々に表示手段に表示する。これにより、ユーザは、記録媒体にどのような楽曲が収録されているのかを知ることができる。そして、表示された楽曲であってユーザにより選択された楽曲の曲名などを記憶させることによって、複数の楽曲の再生を予約することができる。
また、例えば、多数のチャンネルから選択された１つのチャンネルの番組を聴取しているときに、他のチャンネルの番組の内容を示す文字列を一定の時間間隔で次々に表示手段に表示する。これにより、ユーザは、１つの番組を聴取していても、他のチャンネルでどのような番組が放送されているのかを知ることができる。そして、表示された他のチャンネルの番組であってユーザにより選択された他のチャンネルの番組の内容を示す文字列を記憶させることによって、複数の他のチャンネルの番組の聴取を予約することができる。
【００１１】
車載用オーディオ装置の場合は、表示手段に文字列を表示する時間が短いと、ユーザは運転中に確認できないことが考えられる。そこで、車両の速度を検出する車速検出手段を設け、車両の速度に応じて表示間隔を変化させたり、車両が停止しているときだけ、上記の文字列を表示する。これにより、ユーザがより確実に文字列を確認できるようになる。
【００１２】
【発明の実施の形態】
以下、本発明の実施の形態について、添付の図面を参照して説明する。
（第１の実施の形態）
図１は本発明の第１の実施の形態のオーディオ装置の構成を示すブロック図、図２は同じくそのオーディオ装置の前面を示す模式図である。
【００１３】
本実施の形態のオーディオ装置は、ＣＤ−Ｒ再生部１０、制御部１１、表示部１２及び操作キー部１３により構成される。
本実施の形態では、ＣＤ−Ｒ再生部１０にＭＰ３圧縮された多数の楽曲が記録されたディスク（ＣＤ−Ｒ）が装填されるものとする。
図３はＭＰ３ファイルのデータ構成を示す模式図である。この図３に示すように、ＭＰ３ファイルでは、圧縮されたオーディオ信号に、ＩＤ３タグと呼ばれる付加情報が付加されることがある。ＩＤ３タグには、曲名、アーティスト名及びジャンルなどの楽曲情報が記録される。本実施の形態では、ディスクに記録されている各楽曲ファイルには、いずれも楽曲情報が付加されているものとする。
【００１４】
ＣＤ−Ｒ再生部１０は、制御部１１からの信号に基づいて、ディスクに記録されている楽曲ファイルを調べ、ファイル名、タイムスタンプ及び楽曲情報を制御部１１に送る。そして、制御部１１から楽曲の再生命令を受けると、所定の楽曲ファイルからＭＰ３圧縮されているオーディオ信号を読み出して伸長処理した後、Ｄ／Ａ変換してアナログオーディオ信号を出力する。ＣＤ−Ｒ再生部１０から出力されるアナログオーディオ信号は、アンプ（図示せず）を介してスピーカー（図示せず）に供給される。
【００１５】
表示部１２は、例えば液晶パネルからなり、制御部１１からの信号に応じて曲番号、曲名及びアーティスト名等の文字列を表示する。
操作キー部１３は図２に示すように、「アップ（次のトラック）」キー１３ａ、「ダウン（前のトラック）」キー１３ｂ、「再生」キー１３ｃ、「一時停止」キー１３ｄ、「停止」キー１３ｅ、「巻き戻し」キー１３ｆ、「早送り」キー１３ｇ、「ＧＯ」キー１３ｈ及び「取り出し」キー１３ｉ等の操作キーを備えている。「ＧＯ」キー１３ｈ以外のキーの機能は基本的に従来と同様であるので、ここではこれらのキーの説明は省略する。また、「ＧＯ」キー１３ｈの機能については後述する。制御部１１は、操作キー部１３から出力される信号に基づいて、ＣＤ−Ｒ再生部１０及び表示部１２を制御する。
【００１６】
以下、本実施の形態のオーディオ装置の動作について、図４，５に示すフローチャートを参照して説明する。
まず、ステップＳ１１でＣＤ−Ｒ再生部１０にディスク（ＣＤ−Ｒ）が装填されると、ステップＳ１２に移行して、制御部１１はパラメータの初期化を行う。すなわち、ｎの値を１とし、ｉの値を０とする。また、制御部１１は、ステップＳ１３において、ディスクに収録されている全楽曲数Ｘの値を取得する。
【００１７】
ここで、パラメータｎは再生する楽曲の曲番号であり、１番目の楽曲以外から再生を開始する場合は、アップ／ダウンキー１３ａ，１３ｂによりｎの値を変更することができる。ここでは説明を簡単にするために、初期状態のまま１番目の楽曲から再生を開始するものとする。また、パラメータｉはこれから再生する（又は、現在再生中の）楽曲の曲番号を示すパラメータである。
【００１８】
次に、ステップＳ１４に移行し、制御部１１はパラメータｉの値をｎに変更する。その後、ステップＳ１５に移行して、ｉ番目（最初は１番目）の楽曲の再生が開始される。
次に、ステップＳ１６に移行し、制御部１１は１からＸまでの数字のうちからランダムに１つの数字を抽出し、パラメータｍに代入する。但し、ｍの値がｉと同じのときは、再度ランダムに別の数字（ｉ以外の数字）を抽出してパラメータｍに代入する。ｍは、表示部１２に楽曲情報を表示する楽曲の曲番号を示すパラメータである。
【００１９】
次に、ステップＳ１７に移行し、制御部１１は、図２に示すように、ｍ番目の楽曲の曲番号、楽曲名及びアーティスト名を表示部１２に表示する。そして、ステップＳ１８に移行し、「ＧＯ」キー１３ｈが押されたか否かを調べて、「ＧＯ」キー１３ｈが押された場合はステップＳ２１に移行し、押されていない場合はステップＳ１９に移行する。
【００２０】
ステップＳ１９では、ｉ番目の楽曲の再生が終了したか否かを調べ、再生が終了した場合はステップＳ２５に移行し、現在再生中である場合はステップＳ２０に移行する。
ステップＳ２０では、ｍ番目の楽曲の楽曲情報の表示を開始してから５秒経過したか否かを調べ、５秒経過していないときはステップＳ１８に戻って、ｍ番目の楽曲の楽曲情報の表示を継続する。ステップＳ２０でｍ番目の楽曲情報の表示を開始してから５秒経過したと判定したときは、ステップＳ１６に戻り、再度、制御部１１は１からＸまでの数字のうちからランダムに１つの数字ｍを取得する。
【００２１】
このようにして、１番目の楽曲を再生している間、表示部１２には５秒間隔でＣＤ−Ｒに収録されている楽曲（但し、現在再生中のものを除く）の楽曲情報が次々に表示される。
楽曲の再生中にユーザが何もしないまま１番目の楽曲の再生が終了すると、ステップＳ１９からステップＳ２５に移行して、ｎの値がＸであるか否か、すなわち、最後の楽曲まで再生したか否かを判定する。そして、最後の楽曲まで再生したと判定したときは処理を終了する。一方、最後の楽曲まで再生していないと判定した場合はステップＳ２６に移行し、ｎの値に１を加算した値を新たにｎの値とする。その後、ステップＳ１４に戻り、ｉにｎの値を代入した後、ステップＳ１５でｉ番目の楽曲の再生を開始する。
【００２２】
ユーザの所望の楽曲名が表示部１２に表示されているときに「ＧＯ」キー１３ｈを押すと、ステップＳ１８からステップＳ２１に移行する。そして、表示部１２にｍ番目の楽曲の楽曲情報を表示したまま、ステップＳ２２，Ｓ２３で再度「ＧＯ」キー１３ｈが押されたか否か、及び現在再生中の楽曲の再生が終了したか否かを判定する。「ＧＯ」キー１３ｈが押されないまま、現在再生中の楽曲の再生が終了すると、ステップＳ２３からステップＳ２４に移行して、パラメータｉの値をｍとする。そして、ステップＳ１５に戻り、ｉ番目の楽曲、すなわちユーザが所望した楽曲の再生を開始する。
【００２３】
一方、ステップＳ２２で「ＧＯ」キー１３ｈが押されたときは、ステップＳ２２からステップＳ２４に直接移行し、パラメータｉの値をｍに変更して、ステップＳ１５に移行する。この場合は、「ＧＯ」キー１３ｈを押すと、現在再生中の楽曲の再生を中止して、ユーザが所望した楽曲の再生を即座に開始する。
ユーザの所望した楽曲の再生が終了すると、ステップＳ１９からステップＳ２５に移行して、パラメータｎの値がＸの値と同じか否かを判定し、否であるときにステップＳ２６に移行する。
【００２４】
すなわち、ユーザが指定した楽曲の再生が終了した後、ｉにｎ＋１の間を代入して、ｎ＋１番目の楽曲の再生を開始する。
このように、本実施の形態においては、ディスクに収録されている楽曲の情報を表示部１２に一定の間隔で次々に表示するので、ユーザは再生中の楽曲の他にどのような楽曲が収録されているのかを知ることができる。これにより、ＣＤ−Ｒに収録されている楽曲を有効に利用することができる。
【００２５】
また、ユーザの好みの楽曲の情報が表示部１２に表示されているときに、「ＧＯ」キー１３ｈを押すことによりその楽曲の再生が開始されるので、操作性が良好である。
なお、上記実施の形態のオーディオ装置では現在再生中の楽曲番号等を表示部１２に表示しないが、図６に示すように現在再生中の楽曲がわかるように楽曲番号（図６に示す例では楽曲番号２３）等を表示部１２に表示するようにしてもよい。
【００２６】
また、上記実施の形態では、再生中の楽曲以外の楽曲の楽曲情報をランダムに表示部１２に表示するものとしたが、曲番号の順番で楽曲情報を表示するようにしてもよい。
（変形例）
上記第１の実施の形態では、ｍ番目の楽曲の曲情報を表示している間に「ＧＯ」キー１３ｈを押すとｉ番目の楽曲が終了するまで他の楽曲の曲情報の表示を中止する。従って、第１の実施の形態では次に再生する楽曲のみ（１曲のみ）を予約することしかできないが、複数の楽曲の再生を予約できるようにしてもよい。例えば、再生中の楽曲以外の曲情報を表示部に一定の時間毎に表示し、ユーザが選択した曲の曲番号をメモリに順番に記憶しておいて、現在再生中の楽曲が終了したら、メモリに記憶されている曲番号の楽曲を選択された順に再生するようにする。
【００２７】
図４及び図７を参照して、第１の実施の形態の変形例に係るオーディオ装置の動作を説明する。但し、図４の各ステップＳ１１〜Ｓ２０の詳細は上記第１の実施の形態で説明済みであるので、それらのステップの説明は省略する。
ｍ番目の楽曲の曲情報が表示部に表示されているときに、ユーザが「ＧＯ」キー１３ｈを押すと、ステップＳ３１に移行して、ｍ番目の楽曲の曲番号をメモリに記録する。その後、ステップＳ１６に移行して、次の楽曲の曲情報の表示を開始する。すなわち、ステップＳ１６で１からＸまでの数字のうちからランダムに１つの数字ｍを取得した後、ステップＳ１７でｍ番目の曲情報を表示部１２に表示する。
【００２８】
このようにして、表示部１２にはＣＤ−Ｒに記録されている楽曲の曲情報が次々に表示され、ユーザが選択した楽曲については、メモリに曲番号が記録される。
ｉ番目の楽曲の再生が終了すると、ステップＳ１９からステップＳ３２に移行する。ステップＳ３２では、ｎの値がＸであるか否か、すなわち最後の楽曲まで再生したか否かを判定する。そして、最後の楽曲まで再生したと判定したときは処理を終了する。一方、最後の楽曲まで再生していないと判定した場合はステップＳ３３に移行し、メモリ内に曲番号が記録されているか否かを判定する。メモリ内に曲番号が記録されていないときは、ステップＳ３４に移行して、ｎの値に１を加算した値を新たにｎの値とした後、ステップＳ１４に戻る。ステップＳ３３でメモリ内に曲番号が記録されていると判定したときは、ステップＳ３５に移行して、最先（メモリに記録された順番が最も古いもの）の曲番号を読み出して、この曲番号の値をｉに代入する。このとき、メモリから読み出された曲番号は、メモリから消去される。そして、ステップＳ３５からステップＳ１５に移行し、ｉ番目の楽曲、すなわちユーザが予約した楽曲の再生を開始する。
【００２９】
この変形例に示すように、第１の実施の形態のオーディオ装置では、複数の楽曲の再生を予約できるようにすることも可能である。
（第２の実施の形態）
図８は本発明の第２の実施の形態のオーディオ装置の構成を示す図である。車載用オーディオ装置には、ナビゲーション装置と接続されて、操作キー部及び表示部を共通化できるようになっているものがある。本実施の形態は、そのようなオーディオ装置に本発明を適用した例を示している。
【００３０】
すなわち、ナビゲーション装置本体２０には、地図データを記憶した地図データ記憶部２１、各種操作キーが設けられた操作キー部２２、ＧＰＳ衛星からの信号を受信して緯度及び経度を検出するＧＰＳ受信機２３、車両の回転角度を検出するジャイロ２４、地図画像等を表示するための表示部２５、ＣＤ−Ｒ再生部２６ａ、このＣＤ−Ｒ再生部２６ａを制御する制御部２６ｂ及び車両の速度（又は移動距離）を検出する車両センサ２７が接続されている。
【００３１】
ナビゲーション装置本体２０は、ＧＰＳ受信機２３、ジャイロ２４及び車両センサ２７からの信号に基づいて現在の車両位置の緯度及び経度を検出し、地図データ記憶部２１から車両の現在位置の周囲の地図データを読み出して、表示部２５に地図画像を表示し、この地図画像に重ね合わせて車両の現在位置を示すマーク（車両位置マーク）を表示する。また、ナビゲーション装置本体２０は、ユーザが操作キー部２２を操作して目的地を設定すると、地図データ記憶部２１に記憶されている地図データを用いて目的地までの推奨経路を探索し、探索された推奨経路を地図画像に他の道路とは異なる色で表示する。また、制御部２０は、推奨経路に沿って車両が走行するように、車両の移動に伴って適宜案内情報を表示部２５に表示する。
【００３２】
また、ユーザが操作キー部２２を操作してＣＤ−Ｒ再生部２６ａに楽曲の再生を命令すると、ナビゲーション装置本体２０はこの命令を制御部２６ｂに伝達する。制御部２６ｂは、ナビゲーション装置本体２０から送られた命令に応じてＣＤ−Ｒ再生部２６ａを制御し、例えばディスクに記録されている楽曲のタイムスタンプを調べ、古いものから順に再生する。このとき、第１の実施の形態と同様に、表示部２５には、ディスクに収録されている楽曲の楽曲名が一定の時間毎に次々に表示される。図９は表示部２５に表示された画面の例を示す。この例では、地図画像に、車両の現在位置を示す車両位置マークを重ね合わせて表示しており、更にＣＤ−Ｒに収録されている楽曲のうち現在再生中の楽曲とは異なる楽曲の曲名を表示している。制御部２６ｂの動作は基本的に第１の実施の形態と同様であるので、ここでは説明を省略する。
【００３３】
なお、車両運転中には表示画面を頻繁に見ることはできないので、１曲あたりの表示時間が短いと見落としてしまうことが考えられる。従って、車両が停車中のときのみに一定の時間で表示を変えるようにすることが好ましい。また、車両センサ２７の出力に基づいて検出した車両の速度によって表示間隔を変更するようにしてもよい。例えば、時速が２０ｋｍ以下のときは表示間隔を１０秒程度、時速が２０ｋｍを超えるときは表示間隔を２０〜３０秒程度とする。本実施の形態においても、第１の実施の形態と同様の効果を得ることができる。
【００３４】
上記した第１及び第２の実施の形態では、いずれもオーディオ装置がＣＤ−Ｒ再生装置の場合について説明したが、本発明はこれに限定されるものではなく種々のオーディオ装置に適用することができる。例えば、ＳＤＡＲＳに本発明を適用すると、１つの番組を聴取している間に、他のチャンネルの番組情報（番組名及び出演者等）を表示部に一定の時間毎に次々に表示する。番組情報は、例えば放送信号に重畳して送られてくる電子番組表やインターネット等の通信回線を介して送られてくる電子番組表から取得することができる。
【００３５】
【発明の効果】
以上説明したように、本発明のオーディオ装置及び情報選択方法によれば、第１の情報（楽曲又は番組等）をユーザに提供している間に、提供可能な他の複数の情報（楽曲又は番組等）から１つの情報をランダム又は一定の順番で抽出して第２の情報とし、その第２の情報の内容を示す文字列を表示手段に表示する処理を繰り返すので、ユーザは記録媒体にどのような情報が収録されているのかを確認することができて、情報を有効に活用することができる。
【図面の簡単な説明】
【図１】図１は本発明の第１の実施の形態のオーディオ装置の構成を示すブロック図である。
【図２】図２は第１の実施の形態のオーディオ装置の前面を示す模式図である。
【図３】図３はＭＰ３ファイルのデータ構成を示す模式図である。
【図４】図４は第１の実施の形態のオーディオ装置の動作を示すフローチャート（その１）である。
【図５】図５は第１の実施の形態のオーディオ装置の動作を示すフローチャート（その２）である。
【図６】図６は第１の実施の形態のオーディオ装置の情報表示の一例を示す模式図である。
【図７】図７は第１の実施の形態の変形例のオーディオ装置の動作を示すフローチャートである。
【図８】図８はナビゲーション装置と接続した本発明の第２の実施の形態のオーディオ装置の構成を示す図である。
【図９】図９は第２の実施の形態のオーディオ装置の画面表示例を示す図である。
【符号の説明】
１０，２６ａ…ＣＤ−Ｒ再生部、
１１，２６ｂ…制御部、
１２，２５…表示部、
１３，２２…操作キー部、
２０…ナビゲーション装置本体、
２１…地図データ記憶部、
２３…ＧＰＳ受信機、
２４…ジャイロ、
２７…車両センサ。
【図１】
0003889226.tif 000002
【図２】
0003889226.tif 000003
【図３】
0003889226.tif 000004
【図４】
0003889226.tif 000005
【図５】
0003889226.tif 000006
【図６】
0003889226.tif 000007
【図７】
0003889226.tif 000008
【図８】
0003889226.tif 000009
【図９】
0003889226.tif 000010